(57)【要約】【課題】少ない構成部材で、防水性が図れ、外観が良好な薄型の照明付き鏡を提供すること。【解決手段】一対の縦枠材２０と、両縦枠材の上下端を塞ぐと共に鏡本体の支持部を有する上枠材３０及び下枠材３１とからなる枠体１０と、縦枠材に設けられる光源４０と、縦枠材に設けられる光拡散カバー５０と、を具備する。縦枠材は、壁面当接部２１と、鏡本体の外側に向かって開口する光源収容溝部２２と、を具備し、光拡散カバーは、光源収容溝部の開口を塞ぎ、光源は、連接された複数のＬＥＤが光源収容溝部に挿通され、該光源収容溝部内に収容される。【選択図】  図２
2014203726.tif 000002
【特許請求の範囲】
【請求項１】
壁面に設置される照明付き鏡であって、
鏡本体の左右辺に沿って設けられる一対の縦枠材と、両縦枠材の上下端を塞ぐと共に前記鏡本体の上端及び下端の支持部を有する上枠材及び下枠材とからなる枠体と、該枠体の前記縦枠材に設けられる光源と、前記縦枠材に設けられる光拡散カバーと、を具備し、
前記縦枠材は、壁面当接部と、前記鏡本体の外側に向かって開口する光源収容溝部と、を具備し、
前記光拡散カバーは、前記光源収容溝部の開口を塞ぎ、
前記光源は、連接された複数のＬＥＤが前記光源収容溝部に挿通され、該光源収容溝部内に収容される、
ことを特徴とする照明付き鏡。
【請求項２】
請求項１に記載の照明付き鏡において、
前記縦枠材は、前記壁面当接部に、板状の壁面当接片と、前記上枠材及び下枠材の固定部材を固定する固定孔部と、を有し、
前記光源収容溝部は、一側が前記壁面当接片の外方側に延在して形成される光源収容部と、該光源収容部の開口側に延在され、対向面に前記光拡散カバーが係合可能な凹凸係合部が設けられた係合溝部と、を有し、
前記光拡散カバーは、前記鏡本体の外方に露呈する光拡散用中空部を有すると共に、前記光源収容部の凹凸係合部に係合可能な係合条を有する、ことを特徴とする照明付き鏡。
【請求項３】
請求項１又は２に記載の照明付き鏡において、
前記光源収容溝部の壁面当接部と反対側面には、両縦枠材が協働して前記緩衝板を支持するガイド溝が設けられる、ことを特徴とする照明付き鏡。
【請求項４】
請求項１ないし３のいずれかに記載の照明付き鏡において、
前記縦枠材の光源収容溝部における上下方向端部に、前記光源のリード線導出用の切欠き部を設け、該切欠き部の開口縁部に弾性保護カバーを被着してなる、ことを特徴とする照明付き鏡。
【請求項５】
請求項１ないし４のいずれかに記載の照明付き鏡において、
前記光源は、複数のＬＥＤが透光性を有する可撓性チューブ内に連接されると共に、該可撓性チューブを直状に保持する断面コ字状の保持カバーを具備し、
該保持カバーを前記光源収容部内に摺動可能に挿入してなる、ことを特徴とする照明付き鏡。
【請求項６】
請求項１ないし５のいずれかに記載の照明付き鏡において、
前記光拡散カバーと前記縦枠材の係合溝部との係合部における縦方向の隙間全長に渡って隙間パッキンを嵌挿し、
前記縦枠材の上下端と前記上枠材及び下枠材との間に少なくとも前記縦枠材の光源収容溝部の端部開口及び前記光拡散カバーの端部開口を塞ぐシールパッキンを介在してなる、ことを特徴とする照明付き鏡。
【請求項７】
請求項１ないし６のいずれかに記載の照明付き鏡において、
前記光源の可撓性チューブは乳白色に着色されている、ことを特徴とする照明付き鏡。
【発明の詳細な説明】
【技術分野】
【０００１】
この発明は、例えば浴室の壁面に設置される照明付き鏡に関するものである。
【背景技術】
【０００２】
近年、ユニットバスへの付加価値として、ＬＥＤにより様々な色彩効果を持たせるなどの装飾的な照明を設けるものが増加している。
【０００３】
従来のこの種の照明付き鏡として、浴室用鏡を把持する把持部を備えた支持フレームの裏に、ＬＥＤユニットを取り付けるものが知られている（例えば、特許文献１参照）。
【０００４】
特許文献１に記載のものにおいて、ＬＥＤユニットは、半透明の筒状部材の両端をキャップで塞いだケーシングの中にＬＥＤ光源基板を収容しており、筒状部材の内方に入り込んだ位置でＬＥＤ光源基板を配置し、各ＬＥＤ光源から発する光によって生じる光の濃淡を緩和して浴室内に照射させている。
【先行技術文献】
【特許文献】
【０００５】
【特許文献１】特開２０１１−１７１１３１号公報（特許請求の範囲、図３〜図５，図１０）
【発明の概要】
【発明が解決しようとする課題】
【０００６】
しかしながら、特許文献１に記載のものは、鏡を支持する支持フレームに、半透明の筒状部材の両端をキャップで塞いだケーシングの中にＬＥＤ光源基板を収容したＬＥＤユニットを取り付ける構造であるため、構成部材が多くなると共に、支持フレームとケーシング（筒状部材）の厚みによって壁面と鏡とのスペースが大きくなり、壁面からの鏡の出幅が大きくなるなどの懸念がある。また、壁面と鏡との間のスペースが大きくなると、鏡に負荷が掛かった場合に鏡が破損する虞もある。
【０００７】
また、構成部材が多くなるため、防水処理を含む組立工数が多くなると共に、コストが嵩む懸念がある。
【０００８】
この発明は、上記事情に鑑みてなされたもので、少ない構成部材で、防水性が図れ、外観が良好な薄型の照明付き鏡を提供することを目的とする。
【課題を解決するための手段】
【０００９】
上記課題を解決するために、この発明は、壁面に設置される照明付き鏡であって、  鏡本体の左右辺に沿って設けられる一対の縦枠材と、両縦枠材の上下端を塞ぐと共に前記鏡本体の上端及び下端の支持部を有する上枠材及び下枠材とからなる枠体と、該枠体の前記縦枠材に設けられる光源と、前記縦枠材に設けられる光拡散カバーと、を具備し、  前記縦枠材は、壁面当接部と、前記鏡本体の外側に向かって開口する光源収容溝部と、を具備し、  前記光拡散カバーは、前記光源収容溝部の開口を塞ぎ、  前記光源は、連接された複数のＬＥＤが前記光源収容溝部に挿通され、該光源収容溝部内に収容される、ことを特徴とする（請求項１）。
【００１０】
この場合、前記縦枠材は、前記壁面当接部に、板状の壁面当接片と、前記上枠材及び下枠材の固定部材を固定する固定孔部と、を有し、前記光源収容溝部は、一側が前記壁面当接片の外方側に延在して形成される光源収容部と、該光源収容部の開口側に延在され、対向面に前記光拡散カバーが係合可能な凹凸係合部が設けられた係合溝部と、を有し、前記光拡散カバーは、前記鏡本体の外方に露呈する光拡散用中空部を有すると共に、前記光源収容部の凹凸係合部に係合可能な係合条を有するのが好ましい（請求項２）。
【００１１】
このように構成することにより、左右一対の縦枠材と、両縦枠材の上下端を塞ぐと共に鏡本体の上端及び下端の支持部を有する上枠材及び下枠材とにより構成される枠体によって浴室の壁面に鏡本体を支持することができる。また、枠体の縦枠材にＬＥＤ光源を取り付けると共に、ＬＥＤ光源の外方側に、光拡散カバーを取り付けることで、枠体によって支持される鏡本体の側方にＬＥＤ光源から発する光の濃淡を緩和して帯状に浴室内に照射させることができる。
【００１２】
この発明において、前記光源収容溝部の壁面当接部と反対側面には、両縦枠材が協働して前記緩衝板を支持するガイド溝が設けられるのが好ましい（請求項３）。
【００１３】
このように構成することにより、緩衝板が鏡本体の裏面に当接することで、鏡本体に負荷が掛かった場合に緩衝板によって力を吸収することができる。
【００１４】
また、この発明において、前記縦枠材の光源収容溝部における上下方向端部に、前記光源のリード線導出用の切欠き部を設け、該切欠き部の開口縁部に弾性保護カバーを被着してなるのが好ましい（請求項４）。
【００１５】
このように構成することにより、ＬＥＤ光源のリード線の外部への導出を確保することができると共に、リード線の損傷を防止することができる。また、縦枠材の下方端部に設けられる切欠き部は、万一、光源収容溝部内に湯水が侵入した場合の液抜きとして機能することができる。
【００１６】
また、この発明において、前記光源は、複数のＬＥＤが透光性を有する可撓性チューブ内に連接されると共に、該可撓性チューブを直状に保持する断面コ字状の保持カバーを具備し、該保持カバーを前記光源収容部内に摺動可能に挿入するのが好ましい（請求項５）。
【００１７】
このように構成することにより、保持カバーによって可撓性チューブを直状に維持した状態で縦枠材に設けられた溝状の光源収容部内に光源を容易に係止固定することができる。
【００１８】
また、この発明において、前記光源の可撓性チューブは透明であっても差し支えないが、好ましくは、前記光源の可撓性チューブは乳白色に着色されている方がよい（請求項７）。
【００１９】
このように構成することにより、透明性のチューブにおいて基板がうねっていることに起因する各ＬＥＤから生じる光のうねりを、乳白色に着色することでぼかして吸収することができ、光の帯を安定化させることができる。
【００２０】
また、この発明において、前記光拡散カバーと前記縦枠材の係合溝部との係合部における縦方向の隙間全長に渡って隙間パッキンを嵌挿し、前記縦枠材の上下端と前記上枠材及び下枠材との間に少なくとも前記縦枠材の光源収容溝部の端部開口及び前記光拡散カバーの端部開口を塞ぐシールパッキンを介在するのが好ましい（請求項６）。
【００２１】
このように構成することにより、縦枠材と光拡散カバーの係合を容易にすることができると共に、縦枠材と光拡散カバーの係合部の隙間を隙間パッキンによって塞いで防水することができる。また、縦枠材の上下端のＬＥＤ光源の収容部と上枠材及び下枠材との間に水密性を持たせることができる。
【発明の効果】
【００２２】
この発明によれば、上記のように構成されているので、以下のような効果が得られる。
【００２３】
（１）請求項１，２に記載の発明によれば、一対の縦枠材と、両縦枠材の上下端を塞ぐ上枠材及び下枠材とにより構成される枠体によって浴室の壁面に鏡本体を支持することができるので、少ない構成部材で、防水性が図れ、外観が良好な薄型化を図ることができる。また、縦枠材にＬＥＤ光源を取り付けると共に、ＬＥＤ光源の外方側に、光拡散カバーを取り付けることで、枠体によって支持される鏡本体の側方にＬＥＤ光源から発する光の濃淡を緩和して帯状に浴室内に照射させることができるので、装飾的機能を持たせることができる。
【００２４】
（２）請求項３に記載の発明によれば、緩衝板が鏡本体の裏面に当接することで、鏡本体に負荷が掛かった場合に緩衝板によって力を吸収することができるので、（１）に加えて更に鏡本体の固定の安定化が図れると共に、撓みを防止することができる。
【００２５】
（３）請求項４に記載の発明によれば、前記（１），（２）に加えて更にＬＥＤ光源のリード線の外部への導出を確保することができると共に、リード線の損傷を防止することができる。また、縦枠材の下方端部に設けられる切欠き部は、万一、光源収容溝部内に湯水が侵入した場合の液抜きとして機能するので、更に防水性の向上が図れる。
【００２６】
（４）請求項５に記載の発明によれば、縦枠材に設けられた溝状の光源収容部内にＬＥＤ光源を容易に係止固定することができるので、前記（１）〜（３）に加えて更に組立を容易にすることができる。
【００２７】
（５）請求項６に記載の発明によれば、前記（１）〜（４）に加えて更に縦枠材と光拡散カバーの係合を容易にすることができると共に、縦枠材と光拡散カバーの係合部の隙間を隙間パッキンによって塞いで防水することができるので、防水性の向上が図れる。また、縦枠材の上下端のＬＥＤ光源の収容部と上枠材及び下枠材との間に水密性を持たせることができるので、更に防水性の向上が図れる。
【００２８】
（６）請求項７に記載の発明によれば、透明性のチューブにおいて各ＬＥＤから生じる光のうねりを乳白色に着色された部分で吸収することができ、光の帯を安定化させることができるので、前記（１）〜（５）に加えて更に照明を均一かつ安定化させることができる。
【図面の簡単な説明】
【００２９】
【図１】この発明に係る照明付き鏡の使用状態を示す斜視図である。
【図２】鏡本体を除いた状態を示す正面図（ａ）及び（ａ）のＩ−Ｉ線に沿う拡大断面図（ｂ）である。
【図３】図２のII−II線に沿う一部の拡大断面図である。
【図３Ａ】図３の要部拡大断面図である。
【図４】図２のIII−III線に沿う拡大断面図である。
【図５】この発明における枠体と鏡本体を示す分解斜視図である。
【図６】この発明における縦枠材と上枠材の取付部を示す斜視図である。
【図７】この発明における縦枠材と光拡散カバーを示す分解斜視図である。
【図８】この発明における縦枠材とＬＥＤ光源を示す分解斜視図である。
【図９】この発明における緩衝板の正面斜視図（ａ）及び背面斜視図（ｂ）である。
【図１０】この発明における上枠材の上方断面斜視図（ａ）及び下方断面斜視図（ｂ）である。
【図１１】この発明における鏡本体の取付状態を示す要部断面図である。
【図１２】この発明における上部把持部材の要部正面図（ａ）及び（ａ）のIV−IV線に沿う断面図（ｂ）である。
【発明を実施するための形態】
【００３０】
以下に、この発明に係る照明付き鏡の実施形態について、添付図面を参照して詳細に説明する。ここでは、この発明に係る照明付き鏡を浴室に用いた場合について説明する。
【００３１】
この発明に係る照明付き鏡１は、図１に示すように、略縦長矩形状の鏡本体２を浴室３の壁面４に設置される枠体１０によって支持してなる。この場合、鏡本体２の裏面には緩衝用の飛散防止用のスポンジシート２ａが貼着されている。この場合、鏡本体２は、例えば幅が３００ｍｍ、高さが１４６０ｍｍ、厚みが５ｍｍのものが使用される。また、枠体１０は鏡本体２より若干大きく、例えば幅が３１０ｍｍ、高さが１４４５．５ｍｍであり、厚みは後述するように１３．５ｍｍである。なお、鏡本体２の寸法や枠体１０の寸法は一例であって、前記寸法に限定されるものではない。
【００３２】
なお、照明付き鏡１の下部には石鹸やシャンプー等の載置台５が設けられ、側方にはシャワー６の保持部７が設けられている。また、図１中、符号８は浴槽である。
【００３３】
この発明に係る照明付き鏡１は、図２ないし図８に示すように、鏡本体２の左右辺に沿って設けられる一対の縦枠材２０と、両縦枠材２０の上下端を塞ぐと共に鏡本体２の上端及び下端の支持部を有する上枠材３０及び下枠材３１とからなる枠体１０と、該枠体１０の縦枠材２０に設けられる光源４０と、光源４０の外方側を覆う半透明性の光拡散カバー５０と、鏡本体２の裏面に当接する緩衝板６０と、を具備する。
【００３４】
縦枠材２０は、例えばアルミニウム製の押出形材にて形成され、壁面当接部２１と、鏡本体２の外側に向かって開口する光源収容溝部２２と、を具備する。この場合、縦枠材２０の厚みすなわち光源収容溝部２２の開口幅は、１３．５ｍｍである。
【００３５】
壁面当接部２１は、板状の壁面当接片２３と、上枠材３０及び下枠材３１の固定部材である固定ねじ７０を固定（螺合）する固定孔部２４と、を有している。この場合、固定孔部２４は、壁面当接片２３の壁面当接面と反対側の面に互いに平行な断面略Ｃ字状の２列のビスポケットによって形成されている。また、壁面当接片２３には、縦枠材２０を壁面４に固定する固定ねじ７１が貫挿可能な取付孔２５が穿設されている（図７，図８では上端側の取付孔２５を示す）。
【００３６】
光源収容溝部２２は、一側が壁面当接片２３の外方側に延在して形成される光源収容部２６と、光源収容部２６の開口側に延在され、対向面に光拡散カバー５０が係合可能な凹凸係合部２７が設けられた係合溝部２８と、を有している。
【００３７】
また、光源収容溝部２２の壁面当接部２１と反対側面には、両縦枠材２０が協働して緩衝板６０を支持するガイド溝２９が設けられている。
【００３８】
更に、縦枠材２０の光源収容溝部２２における上下方向端部には、光源４０のリード線導出用の切欠き部２２ａが設けられており、該切欠き部２２ａの開口縁部に例えば合成樹脂製の弾性保護カバー２２ｂが被着されている。
【００３９】
一方、光源４０は、複数のＬＥＤ４１が適宜間隔、例えば１０ｍｍピッチの間隔をおいて透光性を有する可撓性チューブ４２内に配設されると共に基板４３を介して連接されたＬＥＤ光源（以下にＬＥＤ光源４０という）にて形成されている。
【００４０】
このように形成されるＬＥＤ光源４０の基板側は、例えば合成樹脂製部材にて形成される断面コ字状の保持カバー４４が被着されている。この保持カバー４４によって可撓性チューブ４２が直状に保持された状態で、保持カバー４４を光源収容部２６内に摺動可能に挿入することができる。なお、保持カバー４４は縦枠材２０の長さより短い寸法に形成されており、保持カバー４４によって保持されない可撓性チューブ４２から導出された２本のリード線４５はコネクタ４６によって結束されている。
【００４１】
リード線４５は、縦枠材２０の光源収容溝部２２の上端部に設けられた切欠き部２２ａを介して光源収容溝部２２内から外部に引き出される。この際、切欠き部２２ａの開口縁部には弾性保護カバー２２ｂが被着されているので、リード線４５の損傷が防止される。なお、縦枠材２０の光源収容溝部２２の下端部に設けられた切欠き部２２ａの開口縁には弾性保護カバー２２ｂが被着されないが、下端部に設けられた切欠き部２２ａは、万一、光源収容溝部２２内に湯水が侵入した場合の液抜きとして機能する。
【００４２】
光源収容溝部２２内から外部に引き出されたリード線４５は、図４に示すように、壁面４を構成する石膏ボード製の壁板４ａに設けられた配線用孔４ｂに嵌挿される合成ゴム製の配線保護パッキン４ｃを介して外部に導出されて外部電源（図示せず）に接続される。この場合、配線保護パッキン４ｃは、外向きフランジ４ｄを有しており、外向きフランジ４ｄが壁面４（壁板４ａ）に当接した状態で、外向きフランジ４ｄの外周と壁面４（壁板４ａ）との間をシーリング材４ｅで固定する。また、配線保護パッキン４ｃ内にはシリコン製スポンジ４ｆとシリコン製シール材４ｇが充填されてリード線４５の外部導出部の防水処理が施されている。
【００４３】
また、可撓性チューブ４２は透光性を有する透明の合成樹脂製部材にて形成されるものでもよいが、可撓性チューブ４２は乳白色に着色されている方がよい。その理由は、可撓性チューブ４２が透明であると、基板４３が若干うねっていることにより、ＬＥＤ光源４０の各ＬＥＤから生じる光が全体として輪郭がぼけてうねりを生じるが、乳白色に着色を施すことにより着色部分で光を吸収することができ、うねりをぼかし光の帯を安定化させることができるからである。
【００４４】
光拡散カバー５０は、半透明性の合成樹脂製部材にて形成されており、鏡本体２の外方に露呈する光拡散用中空部５１を有すると共に、光源収容部２６の凹凸係合部２７に係合可能な係合条５２を有する。この場合、光拡散用中空部５１の幅は縦枠材２０と同様の１３．５ｍｍに形成され、約５ｍｍ露呈するように形成されている。また、図３Ａ及び図７に示すように、光拡散用中空部５１は、狭隘開口状の略中空矩形状に形成されており、狭隘開口部５３から外方に突設される一対の脚片５４の先端部に光源収容部２６の凹凸係合部２７に係合可能な係合条５２が設けられている。なおこの場合、図３Ａに示すように、光拡散用中空部５１の対向する側片５１ａ，５１ｂのうちの壁面側に位置する側片５１ａは平坦状に形成され、対向側の側片５１ｂは先端片５１ｃとの角部が円弧状に形成されている。また、光拡散用中空部５１と脚片５４との連結部の外側面には、縦枠材２０と光拡散カバー５０との間に隙間を形成するための円弧状溝５５が設けられている。この円弧状溝５５には、縦枠材２０の係合溝部２８の先端と光拡散カバー５０の光拡散用中空部５１との間に生じる隙間ｓを介して挿入される隙間パッキン５６が嵌挿されるようになっている。
【００４５】
上記のように形成される光拡散カバー５０は、光源収容溝部２２の係合溝部２８の長手方向端部の外方側から係合条５２を凹凸係合部２７に係合させて、係合溝部２８内に摺動させて嵌挿される。この際、縦枠材２０の係合溝部２８の先端と光拡散カバー５０の光拡散用中空部５１との間に隙間ｓが生じるので、摩擦が低減でき光拡散カバー５０の取付は容易にできる。また、縦枠材２０の係合溝部２８の先端と光拡散カバー５０の光拡散用中空部５１との間に生じる隙間ｓに隙間パッキン５６が嵌挿されるので、縦枠材２０と光拡散カバー５０との連接部に防水処理を施すことができる。
【００４６】
次に、上枠材３０と下枠材３１について説明する。上枠材３０と下枠材３１は同様に例えばステンレス製板材をプレス加工によって成形されているので、ここでは上枠材３０を代表して説明する。上枠材３０は、図６及び図１０に示すように、両縦枠材２０の壁面当接部２１と光源収容溝部２２の上端及び光源収容溝部２２の光源収容部２６に被着される光拡散カバー５０の上端を塞ぐ幅を有する塞ぎ片３２と、該塞ぎ片３２の幅方向の一側の長手方向の両端から光拡散カバー５０の光拡散用中空部５１の幅より若干大きい寸法の内方位置から直交状に屈曲する垂直片３３と、垂直片３３の下端の長手方向端部から縦枠材２０の幅寸法を切り欠いた内方側から塞ぎ片３２と平行に屈曲される水平片３４と、水平片３４の先端から直交状に屈曲する壁面４に当接可能な垂直当接片３５と、を有している。
【００４７】
この場合、上枠材３０の塞ぎ片３２の長手方向の端部側の下面には、縦枠材２０の光源収容溝部２２の上端開口及び光拡散カバー５０の上端開口を塞ぐシールパッキン３６が固着されている。
【００４８】
また、上枠材３０の塞ぎ片３２の長手方向の端部側には、上枠材３０を縦枠材２０に固定する固定部材である固定ねじ７０が貫通可能な２つの貫通孔３８が穿設されている。この貫通孔３８を貫通する固定ねじ７０を縦枠材２０に設けられた固定孔部２４（ビスポケット）に螺合することで、縦枠材２０の上端が上枠材３０によって塞がれる。この際、縦枠材２０の上端と上枠材３０との間にシールパッキン３６が介在されるので、縦枠材２０の光源収容溝部２２の上端開口及び光拡散カバー５０の上端開口がシールパッキン３６によって塞がれ、防水処理が施される。
【００４９】
また、垂直片３３の長手方向の端部側には、鏡本体２の支持部を構成する後述する上部把持部材８０Ａを高さ調整可能に取り付けるための取付ねじ７３が貫通する貫通孔３８が設けられている。
【００５０】
なお、下枠材３１は、図１１に示すように、貫通孔３８の代わりに貫通孔３９を設ける以外は上枠材３０と同様に形成され、同様にシールパッキン３６が固着されているので、固定ねじ７０を縦枠材２０に設けられた固定孔部２４（ビスポケット）に螺合して、縦枠材２０の下端を下枠材３１によって塞ぐことで、縦枠材２０の光源収容溝部２２の下端開口及び光拡散カバー５０の下端開口がシールパッキン３６によって塞がれ、防水処理が施される。
【００５１】
緩衝板６０は、図９に示すように、略矩形状の基部６１の上端辺の中央部に平坦面６２を有し、平坦面６２から左右に向かって下り勾配の傾斜面６３を有している。また、緩衝板６０の裏面側には壁面４に当接可能な上端が傾斜する互いに平行な２個の板状の弾性脚部材６４が左右対称位置に固着されている。また、緩衝板６０には、基部６１と弾性脚部材６４を貫通する２個の段付き取付孔６５と、基部６１の両側側を貫通する２個の取付孔６６が設けられている。この場合、段付き取付孔６５は、図３に示すように、基部６１に設けられる大径孔部６５ａと、弾性脚部材６４に設けられる小径孔部６５ｂとからなり、取付孔６６は大径孔部６５ａと同径に形成されている。
【００５２】
このように構成される２枚の緩衝板６０は、それぞれ両縦枠材２０の光源収容溝部２２の壁面当接部２１と反対側面に両縦枠材２０が協働して設けられたガイド溝２９内に嵌挿されて、上下方向に間隔をおいて枠体１０に取り付けられる。
【００５３】
枠体１０を壁面４に固定する際、緩衝板６０の段付き取付孔６５と取付孔６６を利用して固定ねじ７１，７２が壁面４に螺合される。すなわち、図３に示すように、取付孔６６を介して縦枠材２０の壁面当接片２３に設けられた取付孔２５を貫通する固定ねじ７１を壁面４を構成する壁板４ａ及び壁板４ａの裏面に配置される木製の下地材４ｈに螺合することができる。また、段付き取付孔６５を貫通する固定ねじ７２を壁板４ａ及び壁板４ａの裏面に配置される木製の下地材４ｈに螺合することができる。
【００５４】
上枠材３０及び下枠材３１に設けられる鏡本体２の支持部は、それぞれ鏡本体２の上端部及び下端部を把持する上部及び下部把持部材８０Ａ，８０Ｂにて構成されている。この場合、上部及び下部把持部材８０Ａ，８０Ｂは、例えばステンレス製板材をプレス加工にて成形されており、図５に示すように、鏡本体２の上端又は下端を把持する断面コ字状の把持部８１と、該把持部８１の一側片から開口側に延在する取付片８２とを有する。この場合、上部把持部材８０Ａは、長手方向の両端側の２箇所に、図１２に示すように、取付片８２の下端に開口する長孔状であって、開口部及び上部側にくびれ部８３ａを有する取付溝８３が設けられている。なお、取付溝８３の両側には取付溝８３の弾性変形を許容するための長孔部８４が設けられている。また、取付溝８３及び長孔部８４を包囲する領域に補強用エンボス部８５が形成されている。
【００５５】
一方、下部把持部材８０Ｂは、取付溝８３の代わりに取付孔８６が穿設されており、取付孔８６を包囲する領域に補強用エンボス部８５が形成されている。
【００５６】
このように構成される上部把持部材８０Ａは、図１１に示すように、上枠材３０の垂直片３３に設けられた貫通孔３８を貫通して壁面４を構成する壁板４ａと壁板４ａの裏面に配置される木製の下地材４ｈに螺合される取付ねじ７２によって固定される。この際、上部把持部材８０Ａの取付溝８３をスライド降下させて取付ねじ７２がくびれ部８３ａを乗り越えて外れ防止しつつ上枠材３０に対して上下方向に位置調整可能に固定される。一方、下部把持部材８０Ｂは、取付孔８６を貫通する取付ねじ７３を下枠材３１に設けられた貫通孔３９を貫通して壁面４を構成する壁板４ａと壁板４ａの裏面に配置される木製の下地材４ｈに螺合して下枠材３１に固定される。
【００５７】
鏡本体２を取り付けるには、上枠材３０と下枠材３１に上部及び下部把持部材８０Ａ，８０Ｂを取り付けた後、鏡本体２の上端部を斜めにして上部把持部材８０Ａの把持部８１に嵌め込み、鏡本体２を垂直にして下端部を下部把持部材８０Ｂの把持部８１に落とし込んで取り付けることができる。
【００５８】
次に、照明付き鏡１を浴室３の壁面４に設置する手順について説明する。まず、予め工場等において、縦枠材２０にＬＥＤ光源４０を収容し、ＬＥＤ光源４０の外側に光拡散カバー５０を取り付ける。
【００５９】
ＬＥＤ光源４０を縦枠材２０の光源収容部２６内に収容する際、ＬＥＤ光源４０の可撓性チューブ４２に保持カバー４４を被着して可撓性チューブ４２を直状に保持した状態で、保持カバー４４を光源収容部２６内に摺動して挿入する。ＬＥＤ光源４０を光源収容部２６内に収容した後、ＬＥＤ光源４０のリード線４５を縦枠材２０の光源収容溝部２２の上端部に設けられた切欠き部２２ａを介して光源収容溝部２２内から外部に引き出す。
【００６０】
収容されたＬＥＤ光源４０は、縦枠材２０とほぼ同じ長さで形成され、下端が下枠材３１に突き当たる状態で支持されるが、ＬＥＤ光源４０のリード線４５の引き出し部分にコーキング材等を施すことにより、上端で吊り下げるように掛止してもよく、また可撓性チューブ４２を光源収容部２２より若干大きめにして、収容溝壁に当接させることにより、その摩擦力により適宜位置で係止されるようにしてもよい。
【００６１】
光拡散カバー５０を縦枠材２０の嵌合溝部２８に取り付けるには、光源収容溝部２２の係合溝部２８の長手方向端部の外方側から係合条５２を凹凸係合部２７に係合させて、係合溝部２８内に摺動させつつ嵌挿して取り付ける。その後、縦枠材２０の係合溝部２８の先端と光拡散カバー５０の光拡散用中空部５１との間に生じる隙間ｓに隙間パッキン５６して防水処理を施す。
【００６２】
次に、照明付き鏡１を浴室３の壁面４に設置する前に、両縦枠材２０の上端及び下端を上枠材３０及び下枠材３１で塞ぎ、固定ねじ７０を縦枠材２０に設けられた固定孔部２４（ビスポケット）に螺合して枠体１０を組み立てる。この際、両縦枠材２０と上枠材３０及び下枠材３１との間に介在されるシールパッキン３６によって縦枠材２０の光源収容溝部２２の上下端開口及び光拡散カバー５０の上下端開口が塞がれ、防水処理が施される。また、枠体１０を組み立てる際に、両縦枠材２０が協働して設けたガイド溝２９に緩衝板６０を取り付ける。
【００６３】
次に、固定ねじ７１及び７２によって枠体１０を壁面に設置する。この場合、図３に示すように、緩衝板６０の取付孔６６を介して縦枠材２０の壁面当接片２３に設けられた取付孔２５を貫通する固定ねじ７１を、壁面４すなわち壁板４ａ及び下地材４ｈに螺合して固定する。また、段付き取付孔６５を貫通する固定ねじ７２を壁板４ａ及び下地材４ｈに螺合して固定する。なお、壁板４ａには、壁板４ａに設けられる取付孔に合わせて止水ワッシャ（図示せず）が貼着されている。
【００６４】
一方、ＬＥＤ光源４０のリード線４５は、図４に示すように、壁面４を構成する壁板４ａに設けられた配線用孔４ｂに嵌挿される合成ゴム製の配線保護パッキン４ｃを介して外部に導出されて外部電源（図示せず）に接続される。この際、配線保護パッキン４ｃに設けられた外向きフランジ４ｄが壁面４（壁板４ａ）に当接した状態で、外向きフランジ４ｄの外周と壁面４（壁板４ａ）との間をシーリング材４ｅで固定する。また、配線保護パッキン４ｃ内にはシリコン製スポンジ４ｆとシリコン製シール材４ｇが充填されてリード線４５の外部導出部の防水処理が施される。
【００６５】
次に、上枠材３０と下枠材３１に上，下部把持部材８０Ａ，８０Ｂを取り付けた後、鏡本体２の上端部を斜めにして上部把持部材８０Ａの把持部８１に嵌め込み、鏡本体２を垂直にして下端部を下部把持部材８０Ｂの把持部８１に落とし込んで鏡本体２を取り付ける。
【００６６】
前記のように構成される実施形態に係る照明付き鏡１によれば、一対の縦枠材２０と、両縦枠材２０の上下端をシールパッキン３６を介在して塞ぐ上枠材３０及び下枠材３１とにより構成される枠体１０によって浴室３の壁面４に鏡本体２を支持することができるので、少ない構成部材で、防水性が図れ、外観が良好な薄型化を図ることができる。
【００６７】
また、縦枠材２０にＬＥＤ光源４０を取り付けると共に、ＬＥＤ光源４０の外方側に、縦枠材２０の外方に露呈する半透明性の光拡散カバー５０を取り付けることで、枠体１０によって支持される鏡本体２の側方にＬＥＤ光源４０から発する光の濃淡を緩和して帯状に浴室内に照射させることができるので、装飾的機能を持たせることができる。この際、透光性を有する可撓性チューブ４２を乳白色に着色することで、光の帯を安定化させることができるので、更に照明を均一かつ安定化させることができる。
【００６８】
また、緩衝板６０が鏡本体２の裏面に当接し、緩衝板６０の裏面に壁面４に当接する弾性脚部材６４を設けることで、鏡本体２に負荷が掛かった場合に緩衝板６０によって力を吸収することができるので、鏡本体２の固定の安定化が図れると共に、撓みを防止することができる。また、緩衝板６０の上端に下り傾斜面６３を設けることにより、上端に液溜まりが生じるのを防止することができるので、湯水の付着を抑制することができる。
【００６９】
また、縦枠材２０と光拡散カバー５０の係合を容易にすることができると共に、縦枠材２０と光拡散カバー５０の係合部の隙間ｓを隙間パッキン５６によって塞いで防水することができるので、防水性の向上が図れる。
【００７０】
また、縦枠材２０に設けられた溝状の光源収容部２６内に保持カバー４４によって直状に保持されたＬＥＤ光源４０を嵌挿して係止固定することができるので、組立を容易にすることができる。
【００７１】
また、縦枠材２０の光源収容溝部２２における上下方向端部に、切欠き部２２ａを設け、該切欠き部２２ａの開口縁部に弾性保護カバー２２ｂを被着することで、ＬＥＤ光源４０のリード線４５の外部への導出を確保することができると共に、リード線４５の損傷を防止することができる。また、縦枠材２０の下方端部に設けられる切欠き部２２ａによって、万一、光源収容溝部２２内に湯水が侵入しても切欠き部２２ａから液抜きを行うことができる。
【００７２】
また、鏡本体２の取付位置を調整して枠体１０に取り付けることができるので鏡本体２の取付の自由度を持たせることができる。
【００７３】
なお、前記実施形態では、この発明に係る照明付き鏡１を浴室３に用いたが、この照明付き鏡１は浴室以外の場所にも適用できることは勿論である。
【符号の説明】
【００７４】
２  鏡本体
４  壁面
１０  枠体
２０  縦枠材
２１  壁面当接部
２２  光源収容溝部
２２ａ  切欠き部
２２ｂ  弾性保護カバー
２３  壁面当接片
２４  固定孔部
２６  光源収容部
２７  凹凸係合部
２８  係合溝部
２９  ガイド溝
３０  上枠材
３１  下枠材
３２  塞ぎ片
３６  シールパッキン
３８  長孔
３９  貫通孔
４０  ＬＥＤ光源
４２  可撓性チューブ
４４  保持カバー
５０  光拡散カバー
５１  光拡散用中空部
５２  係合条
５６  隙間パッキン
６０  緩衝板
６３  傾斜面
６４  弾性脚部材
７０  固定ねじ（固定部材）
８０  把持部材
【図１】
2014203726.tif 000003
【図２】
2014203726.tif 000004
【図３】
2014203726.tif 000005
【図３Ａ】
2014203726.tif 000006
【図４】
2014203726.tif 000007
【図５】
2014203726.tif 000008
【図６】
2014203726.tif 000009
【図７】
2014203726.tif 000010
【図８】
2014203726.tif 000011
【図９】
2014203726.tif 000012
【図１０】
2014203726.tif 000013
【図１１】
2014203726.tif 000014
【図１２】
2014203726.tif 000015